【手続補正書】
【提出日】平成16年4月1日(2004.4.1)
【手続補正１】
【補正対象書類名】明細書
【補正対象項目名】０００７
【補正方法】変更
【補正の内容】
【０００７】
上記内輪２の外周面と外輪４の内周面との間部分には、グリースその他の潤滑油等の潤滑剤を充填若しくは連続的に供給して、上記相対回転が円滑に行なわれる様にする。そして、玉軸受に振動や騒音が生じない様にすると共に、焼き付き等の故障を防止する。尚、一部の玉軸受では、シール板やシールド板等の密封部材により、内輪２の外周面と外輪４の内周面との間の空間の両端開口を塞ぎ、この空間から潤滑剤が漏洩したり、或はこの空間内に塵芥等の異物が進入するのを防止する場合もある。但し、前記図１１にはこの様な密封部材を持たない玉軸受を示している。


【手続補正２】
【補正対象書類名】明細書
【補正対象項目名】０００９
【補正方法】変更
【補正の内容】
【０００９】
【発明が解決しようとする課題】
しかしながら、単に玉５、５に対する保持器６、１１の動き量を小さくしても、潤滑材の供給が不十分な場合の様に、運転条件が厳しい場合には、上記保持器６、１１のポケット７、７の内周面形状に起因して保持器音が発生する事がある。即ち、図１１〜１２に示した従来の保持器６、１１の場合には、ポケット７、７の内周面が、ほぼその全幅に亙って玉５、５の転動面と摺接し得る為、これら内周面と転動面との間に作用する摩擦力が大きくなる。この点に就いて、図１３〜１６により詳しく説明する。


【手続補正３】
【補正対象書類名】明細書
【補正対象項目名】００１１
【補正方法】変更
【補正の内容】
【００１１】
この様に、ポケット７、７の内周面がその全幅に亙って保持案内面として機能する球面部１５になっていると、これら各ポケット７、７の内周面と上記各玉５、５の転動面との摩擦面積が広くなり、保持器６、１１と玉５、５との滑り接触部分で発生する摩擦振動が大きくなって、振動や騒音を誘発する。又、何れの場合も、上記各ポケット７、７がその全幅に亙って単一球面である球面部１５、１５となっていた場合には、これら各ポケット７、７の球面部１５、１５の中心Ｏ15（図１８）と、当該ポケット７、７内に保持した玉５、５の中心Ｏ5 （図１８〜１９）とがずれた場合には、当該玉５、５の転動面に付着した潤滑剤が掻き取られて、上記振動や騒音が著しくなる。この点に就いて、図１１に示した様な波形プレス保持器を例にして、図１７〜１９により詳しく説明する。


【手続補正４】
【補正対象書類名】明細書
【補正対象項目名】００１４
【補正方法】変更
【補正の内容】
【００１４】
即ち、この状態では、図１８〜１９に示す様に、上記各ポケット７を構成する球面部１５と玉５の転動面とは、保持器６の幅方向（図１８の上下方向、図１９の左右方向）の両側で、当該ポケット７の円周方向中央部から円周方向端部に向けてずれた２点Ｐ1 、Ｐ2 で摺接する。上記曲率半径Ｒ15、Ｒ5 の相違に基づく隙間に基づき、上記保持器６のポケット７の中心Ｏ7 が、図１９に示す様に、玉５の中心Ｏ5 よりも内径側にずれた場合には、当該玉５の転動面のうち、上記保持器６の外径寄り部分と、上記ポケット７の内面を構成する球面部１５のうちの上記保持器６の外径寄り部分とが摺接する。そして、玉軸受を潤滑する為に供給され、上記各玉５の転動面に付着したグリースや潤滑油等の潤滑剤が、上記球面部１５の端縁部で掻き取られ、この潤滑剤が上記各ポケット７内に取り込まれず、このポケット７外に押し出される。上記保持器６の円周方向反対側では、玉５の転動面のうち、上記保持器６の内径寄り部分と、上記ポケット７の内面を構成する球面部１５のうちの上記保持器６の内径寄り部分とが摺接する現象が発生し、やはり潤滑剤の取り込み不良が生じる。


【手続補正５】
【補正対象書類名】明細書
【補正対象項目名】００１５
【補正方法】変更
【補正の内容】
【００１５】
この様な潤滑剤の取り込み不良が生じる結果、上記各玉５の転動面と、上記保持器６のポケット７の内面を構成する球面部１５との摺接部の滑り摩擦係数が増加する。この結果、上記保持器６を組み込んだ玉軸受の摩擦トルクが変動したり或は増加し、更にはこの玉軸受の運転時に摩擦音が発生したり、更にはこの摩擦音が著しくなる等の問題を生じる。  本発明の玉軸受用保持器は、この様な不都合を何れも解消すべく考えたものである。


【手続補正６】
【補正対象書類名】明細書
【補正対象項目名】００２１
【補正方法】変更
【補正の内容】
【００２１】
上述の様に構成する本例の玉軸受用保持器の場合、各ポケット７の内周面と玉５の転動面とは、上記球面部１５部分でのみ擦れ合い、円筒面部１６部分では擦れ合わない。従って、上記各ポケット７の内周面と玉５の転動面との摩擦面積が減少し、保持器１１ａと玉５との滑り接触部分で発生する摩擦振動が低減されて、振動や騒音が減少する。又、上記球面部１５を挟む状態で形成した１対の円筒面部１６、１６と上記玉５の転動面との間には、上記くさび状隙間１７、１７が存在する。本例の保持器１１ａを組み込んだ玉軸受の運転時に、上記玉５の転動面に付着した潤滑剤は、上記くさび状隙間１７、１７から上記球面部１５と転動面との間に存在する隙間部分に円滑に取り込まれる。しかも、上記円筒面部１６、１６は、上記各ポケット７の内径側、外径側、両開口部の全長に亙って設けており、上記くさび状隙間１７、１７も、これら両開口部の全長に亙って存在するので、上記球面部１５と転動面との間に存在する隙間部分への潤滑剤の取り込みは効果的に行なえる。これらにより、保持器１１ａと玉５との滑り接触部分に作用する摩擦を低減し、この滑り接触部分で発生する摩擦振動を低減して、振動や騒音の減少を図れる。


【手続補正７】
【補正対象書類名】明細書
【補正対象項目名】００２５
【補正方法】変更
【補正の内容】
【００２５】
次に、図８〜９は、本発明の実施の形態の第４例を示している。本例は、請求項２に記載した発明を、前述の図１１に示した様な波形プレス保持器に適用したものである。この様な本例の場合、各ポケット７の内面形状を、これら各ポケット７の幅方向（保持器の直径方向）中間部に設けた球面部１５と、それぞれがこの球面部１５の幅方向両端縁から滑らかに連続する１対の曲面部１８、１８とにより構成している。上記球面部１５は、上記各ポケット７の内面のほぼ全長に亙って形成したもので、当該ポケット７内に転動自在に保持する玉５の転動面の曲率半径Ｒ5 よりも少し大きな曲率半径Ｒ15を有する球状凹面である。又、上記各曲面部１８、１８は、上記球面部１５の幅方向両端縁から連続して、上記各ポケット７の開口端縁部にまで達するもので、上記球面部１５よりも大きな曲率半径Ｒ18（Ｒ18＞Ｒ15＞Ｒ5 ）を有する。


【手続補正８】
【補正対象書類名】明細書
【補正対象項目名】００２７
【補正方法】変更
【補正の内容】
【００２７】
又、上記各ポケット７を保持器６ａの径方向から見た形状は、図９に誇張して示す様に、円形よりもラグビーボール状に少し潰れた形状としている。即ち、前述の図１９に示した従来構造と同様に、各ポケット７の深さＤ7 を、上記曲面部１５の曲率半径Ｒ15よりも小さくしている。特に本発明の場合には、これらＤ7 と曲率半径Ｒ15との差（Ｒ15−Ｄ7 ）を、前述した従来構造の場合よりも大きくしている。従って、本例の場合には、上記各ポケット７を構成する球面部１５と玉５の転動面とが摺接する点Ｐ1 が、図９に示す様に、当該ポケット７の幅方向中央部から幅方向端部に向けて比較的大きくずれた位置に存在する。即ち、接点角度α（上記玉５の中心と上記点Ｐ1 とを結ぶ直線と保持器６ａの円周方向を表す線との交差角度）が、前述の図１９に示した従来構造の場合よりも大きい。尚、この接点角度αは、保持器６ａを組み込む玉軸受の接触角（通常１０〜２０°）よりも大きい値とする（最大９０°）。従って、上記各玉５の転走面と、当該玉５を保持したポケット７の内面との間には、図９に示す様に、比較的大きな隙間１９が存在する事になる。


【手続補正９】
【補正対象書類名】明細書
【補正対象項目名】００２８
【補正方法】変更
【補正の内容】
【００２８】
上述の様に構成する本例の玉軸受用保持器の場合も、各ポケット７の内周面と玉５の転動面とは、上記球面部１５部分でのみ擦れ合い、曲面部１８、１８部分では擦れ合わない。従って、上記各ポケット７の内周面と玉５の転動面との摩擦面積が減少し、保持器６ａと玉５との滑り接触部分で発生する摩擦振動が低減されて、振動や騒音が減少する。又、本例の場合も、上記球面部１５を挟む状態で形成した１対の曲面部１８、１８と上記玉５の転動面との間には、くさび状隙間１７ａ、１７ａが存在する。本発明の保持器６ａを組み込んだ玉軸受の運転時に、上記玉５の転動面に付着した潤滑剤は、上記くさび状隙間１７ａ、１７ａから上記球面部１５と転動面との間に存在する隙間部分に円滑に取り込まれる。しかも、上記曲面部１８、１８は、上記各ポケット７の内径側、外径側、両開口部の全長に亙って設けており、上記くさび状隙間１７ａ、１７ａも、これら両開口部の全長に亙って存在するので、上記球面部１５と転動面との間に存在する隙間部分への潤滑剤の取り込みは効果的に行なえる。これらにより、保持器６ａと玉５との滑り接触部分に作用する摩擦を低減し、この滑り接触部分で発生する摩擦振動を低減して、振動や騒音の減少を図れる。